(57)【要約】【課題】碍子連の架線金具との連結状態の解除、連結状態の復帰の作用を容易に行うことができる装置を提供する。【解決手段】複数の碍子２６を一連に連結してなる碍子連２５を軸方向に引っ張った状態に固定する碍子連固定装置１であって、前記碍子連２５に沿って設けられるとともに、前記碍子連２５の軸方向に伸縮可能なねじ締結体２と、該ねじ締結体２を伸縮させる操作部材２０とを備え、前記ねじ締結体２は、前記碍子連２５の両端の碍子２６に一端が連結される一対の固定側ねじ３、３と、該一対の固定側ねじ３、３の他端に両端が螺着されるとともに、前記一対の固定側ねじ３、３の軸線周りに回転可能な可動側ねじ１５とからなり、該可動側ねじ１５に前記操作部材２０が設けられている。【選択図】図１
2011171256.tif 000002
【特許請求の範囲】
【請求項１】
複数の碍子を一連に連結してなる碍子連を軸方向に引っ張った状態に固定する碍子連固定装置であって、
前記碍子連に沿って設けられるとともに、前記碍子連の軸方向に伸縮可能なねじ締結体と、該ねじ締結体を伸縮させる操作部材とを備え、
前記ねじ締結体は、前記碍子連の両端の碍子に一端が連結される一対の固定側ねじと、該一対の固定側ねじの他端に両端が螺着されるとともに、前記一対の固定側ねじの軸線周りに回転可能な可動側ねじとからなり、該可動側ねじに前記操作部材が設けられていることを特徴とする碍子連固定装置。
【請求項２】
前記ねじ締結体は、前記碍子連を間に挟んだ状態で前記碍子連の両側に一対設けられていることを特徴とする請求項１に記載の碍子連固定装置。
【請求項３】
複数の碍子を一連に連結してなる碍子連を軸方向に引っ張った状態に固定する固定方法であって、
前記碍子連に沿ってねじ締結体を設け、該ねじ締結体の一対の固定側ねじの一端を前記碍子連の両端の碍子に連結し、該一対の固定側ねじの他端に両端が螺着される前記ねじ締結体の可動側ねじを前記固定側ねじの軸線周りに回転させ、前記ねじ締結体を伸長させることにより、前記碍子連を軸方向に引っ張った状態に固定することを特徴とする固定方法。
【発明の詳細な説明】
【技術分野】
【０００１】
本発明は、碍子連固定装置及び固定方法に関し、特に、複数の碍子を一連に連結してなる碍子連を軸方向に引っ張った状態に固定するのに好適な碍子連固定装置及び固定方法に関する。
【背景技術】
【０００２】
従来、電線補修等の架線作業において、電柱と電線との間にシメラー等の張線器を装着し、張線器で電線からの荷重を負担することによって碍子連に弛みを生じさせ、この状態で碍子連とクランプ等の架線金具との連結状態を解除して電線補修等の作業を行い、作業の終了後に再び碍子連を架線金具に連結することが行われている。
【０００３】
このような架線作業において、電線補修等の作業後に再び碍子連を架線金具に連結する場合、碍子連をロープ等を用いて固縛することによって弛みをなくし、この状態で碍子連を作業者が人力によって支え、碍子錬を架線金具に連結している。
【０００４】
上記のような碍子連は、例えば、重量が５．８Ｋｇの碍子を５〜７枚連結して構成されているため、全体の重量が７．２９〜４０．６Ｋｇとなり、この重量の碍子連を架線梯子上で作業者が人力によって支えることになるため、作業に非常に手間がかかるとともに、作業者の負担も大きくなる。
【０００５】
また、電線からの荷重を除去して弛ませた碍子連は、各々の碍子が自由に動くようになっているため、ロープ等を用いて固縛して弛みをなくすのに熟練を要し、経験の浅い作業者では弛みをなくした状態に碍子連を固縛することが難しい。
【０００６】
上記のような問題に対処するため、碍子連を人力によらずに装置によって機械的に固定する方法が考えられる。碍子連を機械的に固定する装置の例が特許文献１の図１、図４に記載されている。
【０００７】
特許文献１の図１に記載の装置は、一対のアタッチメントと、両アタッチメント間に直列に設けられる油圧シリンダ、リンクロッド、及びターンバックルとを備えたものであって、一対のアタッチメントを碍子連の両端の碍子に取り付けて用いるものである。
【０００８】
また、特許文献１の図４に記載の装置は、一対のアームと、両アーム間に設けられる一対のクランクロッドと、クランクロッドの中間部間に設けられる油圧ラムとを備えたものであって、一対のアームを碍子連の両端の碍子に取り付けて用いるものである。
【０００９】
ところで、上記のような構成の装置にあっては、碍子連に取り付けた状態で油圧シリンダを作動させてリンクロッドを短縮させることにより、又は油圧ラムを作動させてクランクロッドを屈曲させることにより、碍子連を弛みが生じた状態に固定することはできるが、構造的に碍子連を軸方向に引っ張って弛みをなくした状態に固定することはできない。
【００１０】
このため、架線梯子上で作業者が人力によって碍子連を支えるような作業に適用する場合には、碍子連の弛みをなくすことができないため、ロープ等を併用して碍子連を固縛して弛みをなくさなければならず、作業に手間がかかるとともに、作業者の負担も大きくなり、さらに、熟練を要することにもなる。
【００１１】
また、上記の装置は、リンクロッドを短縮させる油圧シリンダ、クランクロッドを屈曲させる油圧ラム、油圧シリンダ、油圧ラムを作動させる油圧供給装置等からなる大型で、重量も嵩む装置であるため、架線梯子上で作業者が碍子連と共に支えることは難しい。
【先行技術文献】
【特許文献】
【００１２】
【特許文献１】特開２０００−５９９３６号公報
【発明の概要】
【発明が解決しようとする課題】
【００１３】
本発明は、上記のような従来の問題に鑑みなされたものであって、電線補修等の架線作業において、碍子連とクランプ等の架線金具との連結の解除、連結の復帰の作業を、熟練を要することなく、また、作業者に負担をかけることなく、容易に行うことができる、碍子連固定装置及び固定方法を提供することを目的とする。
【課題を解決するための手段】
【００１４】
上記のような課題を解決するために、本発明は、以下のような手段を採用している。
すなわち、本発明は、複数の碍子を一連に連結してなる碍子連を軸方向に引っ張った状態に固定する碍子連固定装置であって、前記碍子連に沿って設けられるとともに、前記碍子連の軸方向に伸縮可能なねじ締結体と、該ねじ締結体を伸縮させる操作部材とを備え、前記ねじ締結体は、前記碍子連の両端の碍子に一端が連結される一対の固定側ねじと、該一対の固定側ねじの他端に両端が螺着されるとともに、前記一対の固定側ねじの軸線周りに回転可能な可動側ねじとからなり、該可動側ねじに前記操作部材が設けられていることを特徴とする。
【００１５】
本発明の碍子連固定装置によれば、操作部材によってねじ締結体の可動側ねじを回転させることにより、ねじ締結体の一対の固定側ねじに対する可動側ねじの相対的な螺合長さを変化させることができ、ねじ締結体の全長を伸縮させることができる。従って、操作部材によってねじ締結体を伸長させる方向に可動側ねじを回転させることにより、ねじ締結体の伸長量に応じて碍子連が両端の碍子を介して軸方向に引っ張られ、碍子連が弛みをなくした状態に固定されることになる。
【００１６】
また、本発明において、前記ねじ締結体は、前記碍子連を間に挟んだ状態で前記碍子連の両側に一対設けられていることとしてもよい。
【００１７】
本発明の碍子連固定装置によれば、一対のねじ締結体を伸長させることにより、一対のねじ締結体の伸長量に応じて碍子連が両端の碍子を介して軸方向に引っ張られ、碍子連が弛みをなくした状態に固定されることになる。
【００１８】
さらに、本発明は、複数の碍子を一連に連結してなる碍子連を軸方向に引っ張った状態に固定する固定方法であって、前記碍子連に沿ってねじ締結体を設け、該ねじ締結体の一対の固定側ねじの一端を前記碍子連の両端の碍子に連結し、該一対の固定側ねじの他端に両端が螺着される前記ねじ締結体の可動側ねじを前記固定側ねじの軸線周りに回転させ、前記ねじ締結体を伸長させることにより、前記碍子連を軸方向に引っ張った状態に固定することを特徴とする。
【００１９】
本発明の固定方法によれば、ねじ締結体の一対の固定側ねじの一端を碍子連の両端の碍子に固定し、ねじ締結体の可動側ねじをねじ締結体が伸長する方向に回転させることにより、ねじ締結体の伸長量に応じて碍子連が両端の碍子を介して軸方向に引っ張られ、碍子連が弛みをなくした状態に固定されることになる。
【発明の効果】
【００２０】
以上、説明したように、本発明の碍子連固定装置及び固定方法によれば、ねじ締結体の可動側ねじを回転させてねじ締結体を伸長させることにより、ねじ締結体の伸長量に応じて碍子連が両端の碍子を介して軸方向に引っ張られ、碍子連が弛みをなくした状態に固定される。
従って、電線補修等の架線作業において、碍子連を作業者が人力で支えてクランプ等の架線金具との連結状態、連結状態の復帰の作業に適用した場合に、碍子連の弛みをなくした状態でそれらの作業を行うことができるので、作業に熟練を要することなく、また、作業者に負担をかけることもなく、容易に、碍子連とクランプ等の架線金具との連結状態の解除、連結状態の復帰の作業を行うことができ、架線作業の効率を大幅に高めることができる。
【図面の簡単な説明】
【００２１】
【図１】本発明による碍子連固定装置の一実施の形態を示した平面図である。
【図２】図１の碍子連固定装置の一方のねじ締結体の平面図及び取付部の側面図である。
【図３】図１の碍子連固定装置の他方のねじ締結体の平面図及び取付部の側面図である。
【図４】本発明による碍子連固定装置の他の実施の形態を示した平面図である。
【発明を実施するための形態】
【００２２】
以下、図面を参照しながら本発明の実施の形態について説明する。
図１〜図３には、本発明による碍子連固定装置の一実施の形態が示されている。本実施の形態の碍子連固定装置１は、電線補修等の架線作業において、電線を電柱に絶縁した状態に支持する碍子連２５の固定に有効なものであって、碍子連２５を固定した状態で碍子連２５とクランプ等の架線金具との連結状態を解除し、又は連結状態を復帰する作業等に用いられるものである。
【００２３】
碍子連２５は、図１に示すように、例えば、複数の傘型状の碍子２６を連結金具２７、２８を介して一連に連結した構成したものであって、一端の碍子２６の頂部には、帯板状の第１アークホーン取付金具３０が碍子連２５の軸線と直交するように取り付けられ、他端の碍子２６の底部には、帯板状の第２アークホーン取付金具３１が碍子連２５の軸線と直交するように取り付けられている。
【００２４】
第１アークホーン取付金具３０の端部には、所定の形状に屈曲された棒状の第１アークホーン３２が取り付けられ、第２アークホーン取付金具３１の端部には、所定の形状に屈曲された棒状の第２アークホーン３３が取り付けられ、第１アークホーン取付金具３０の中央部には、第１クランプ３４が取り付けられ、第２アークホーン取付金具３１の中央部には、第２クランプ３５が取り付けられている。
【００２５】
碍子連２５は、一端側の第１クランプ３４を電柱側に連結し、他端側の第２クランプ３５を電線側に連結することにより電柱と電線との間に介装され、電線からの荷重を第２クランプ３５、第２アークホーン取付金具３１、碍子連２５の各碍子２６、第１アークホーン取付金具３０、及び第１クランプ３４を介して電柱側に伝達させることにより、電柱からの荷重を支持するようになっている。
【００２６】
上記のような構成の碍子連２５の固定に用いられる本実施の形態の碍子連固定装置１は、軸方向に伸縮可能な一対のねじ締結体２、２と、各ねじ締結体２を伸縮させる操作部材２０とを備え、一対のねじ締結体段２、２間に碍子連２５を挟んだ状態で、両ねじ締結体２、２の軸方向の両端を碍子連２５の軸方向の両端に連結することにより、碍子連２５を固定するようになっている。
【００２７】
各ねじ締結体２は、一端が第１アークホーン取付金具３０及び第２アークホーン取付金具３１にそれぞれ連結される一対の固定側ねじ３、３と、両固定側ねじ３、３の他端間に設けられるとともに、両端が両固定側ねじ３、３の他端に螺着され、かつ、両固定側ねじ３、３の軸線周りに回転可能な可動側ねじ１５とから構成されている。
【００２８】
各固定側ねじ３は、外周面に雄ねじ５が設けられた棒状のねじ本体４と、ねじ本体４の軸方向の一端に一体に設けられる取付部６とからなり、取付部６を介して第１アークホーン取付金具３０の端部及び第２アークホーン取付金具３１の端部にそれぞれ取り付けられるようになっている。
【００２９】
取付部６は、一対のU字形バンド７、７と、両Ｕ字形バンド７、７のフランジ８、８間を連結する連結ねじ９とからなるバンドタイプのものと、Ｕ字形クレビス１０と、Ｕ字形クレビス１０を貫通する連結ピン１１とからなるクレビスタイプのものとがあり、本実施の形態においては、第１アークホーン３２及び第２アークホーン３３側のねじ締結体２の固定側ねじ３にバンドタイプのものを用い、反対側のねじ締結体２の固定側ねじ３にクレビスタイプのものを用いている。
【００３０】
バンドタイプの取付部６は、一方のU字形バンド７がねじ本体４の軸方向の一端に溶接等によって一体に連結され、この一方のU字形バンド７に他方のU字形バンド７が連結ねじ９によって着脱可能に連結されるようになっている。
【００３１】
クレビスタイプの取付部６は、Ｕ字形クレビス１０の基部がねじ本体４の軸方向の一端に溶接等によって一体に連結され、このＵ字形クレビス１０の先端部を連結ピン１１が着脱可能に貫通するようになっている。
【００３２】
可動側ねじ１５は、棒状の操作部１６と、操作部１６の軸方向の両端に軸線を一致させた状態で一体に設けられる一対の筒状のねじ本体１７、１７とからなり、各ねじ本体１７、の内周面に各固定側ねじ３のねじ本体４の雄ねじ５と相互に螺合可能な雌ねじ１８が設けられている。
【００３３】
可動側ねじ１５は、一方のねじ本体１７が左ねじの雌ねじ１８に形成され、他方のねじ本体１７が右ねじの雌ねじ１８に形成され、このねじ本体１７、１７の雌ねじ１８、１８の向きと同じ向きとなるように、各固定側ねじ３、３のねじ本体４、４が左ねじ又は右ねじの雄ねじ５、５に形成されている。
【００３４】
操作部材２０は、ラチェットレンチであって、可動側ねじ１５の操作部１６の中央部の外周面に設けられる歯車２１と、歯車２１と噛合可能な係止爪２２を有するハンドル２３とを備え、ハンドル２３を操作して係止爪２２を介して歯車２１と一体に操作部１６を回転させることにより、操作部１６と一体に一対のねじ本体１７、１７を回転させることができる。
【００３５】
なお、操作部材２０は、ラチェットレンチに限らず、可動側ねじ１５を回転させることができるものであればよく、例えば、操作部１６の外周面を断面四角形状に形成し、この四角形状に形成した操作部１６の外周面にスパナを掛け、スパナを操作することによって可動側ねじ１５を回転させる等のものであってもよい。
【００３６】
上記のように構成した本実施の形態による碍子連固定装置１によって碍子連２５を固定するには、まず、一方のねじ締結体段２を碍子連２５の第１アークホーン３２及び第２アークホーン３３側に配置して碍子連２５の軸方向に沿わせ、両端の取付部６の一対のU字形バンド７、７間で第１アークホーン３２及び第２アークホーン３３の根元部を挟み、一対のU字形バンド７、７のフランジ８、８間を連結ねじ９で連結することにより、一方のねじ締結体２の両端を碍子連２５の一端の第１アークホーン取付金具３０の端部、及び他端の第２アークホーン取付金具３１の端部に連結する。
【００３７】
次に、他方のねじ締結体２を一方のねじ締結体２と反対側に配置して碍子連２５の軸方向に沿わせ、両端の取付部６の一対のU字形クレビス１０の溝１１内に第１アークホーン取付金具３０の端部及び第２アークホーン取付金具３１の端部を挿入し、U字形クレビス１０に連結ピン１２を貫通させることにより、他方のねじ締結体２の両端を碍子連２５の一端の第１アークホーン取付金具３０の端部、及び他端の第２アークホーン取付金具３１の端部に連結する。
【００３８】
次に、各操作部材２０のハンドル２３を操作して、各ねじ締結体２の可動側ねじを各ねじ締結体２を伸長させる方向に回転させ、可動側ねじの両ねじ本体１７、１７の雌ねじ１８、１８に対する両固定側ねじの両ねじ本体の雄ねじの螺合長さを変化させることにより、各ねじ締結体の全長を伸長させる。これにより、両ねじ締結体２によって碍子連が軸方向に引っ張られ、碍子連の隣接する碍子間に弛みがなくなり、碍子連が直線状に固定される。
【００３９】
そして、上記のように本実施形態の碍子連固定装置１で碍子連２５を固定した状態で、碍子連２５を碍子連固定装置１と共に支えながら、碍子連２５とクランプ等の架線金具との連結状態を解除して電線補修等の作業を行い、作業の終了後に再び碍子連２５を架線金具に連結し、連結状態とした後に碍子連２５から碍子連固定装置１を取り外すことにより、碍子連２５を電柱と電線との間に介装させることができる。
【００４０】
上記のように構成した本実施の形態の碍子連固定装置１にあっては、一対のねじ締結体１、２と、各ネジ締結体２の可動側ねじ１５を回転させる操作部材２０とからなる小型、軽量のものであるので、架線梯子上で作業者が碍子連２５と共に支えながら、碍子連２５と架線金具との連結状態の解除、連結状態の復帰の作業を、作業者に負担をかけることなく、効率よく行うことができる。
【００４１】
また、碍子連２５をロープ等によって固縛する必要がないので、作業に熟練を要することはなく、経験の浅い作業者であっても、碍子連２５を支えながら、碍子連２５と架線金具との連結状態の解除、連結状態の復帰の作業を行うことができる。
【００４２】
図４には、本発明による碍子連固定装置１の他の実施の形態が示されている。本実施の形態の碍子連固定装置１は、ねじ締結体２の一対の固定側ねじ３、４の取付部６を、両ねじ締結体２、２共にＵ字形クレビス１０と連結ピン１２とによって構成したものであって、その他の構成は前記実施の形態に示すものと同様である。
【００４３】
この場合、一方のねじ締結体２の両取付部６、６のＵ字形クレビス１０、１０の溝１１、１１内、及び他方のねじ締結体２の両取付部６、６のＵ字形クレビス１０、１０の溝１１、１１内にそれぞれ第１アークホーン取付金具３０の両端部及び第２アークホーン取付金具３１の両端部を挿入し、第１アークホーン取付金具３０の両端部及び第２アークホーン取付金具３１の両端部と各Ｕ字形クレビス１０とを連結ピン１２によって連結することになるので、第１アークホーン３２及び第２アークホーン３３は、第１アークホーン取付金具３０及び第２アークホーン取付金具３１の中央部寄りに取り付けることになる。
【００４４】
そして、本実施の形態の碍子連固定装置１にあっても、前記実施の形態に示すものと同様の作用効果を奏する。
【００４５】
なお、上記の説明においては、本発明による碍子連固定装置１を碍子連２５と架線金具との連結状態の解除、連結状態の復帰の作業に用いた場合について説明したが、その他の作業に本発明の碍子連固定装置１を用いてもよい。
【００４６】
また、上記の説明においては、ねじ締結体２の固定側ねじ３のねじ本体４に雄ねじ５を設け、可動側ねじ１５のねじ本体１７に雌ねじ１８を設けたが、固定側ねじ３のねじ本体４に雌ねじを設け、可動側ねじ１５のねじ本体１７に雄ねじを設けるように構成してもよい。
【００４７】
さらに、上記の説明においては、一対のねじ締結体２、２を碍子連２５に沿って設けたが、碍子連２５の碍子２６の大きさ、数等によっては、一つのねじ締結体２によって碍子連２５を固定するように構成してもよい。
【符号の説明】
【００４８】
１  碍子連固定装置
２  ねじ締結体
３  固定側ねじ
４  ねじ本体
５  雄ねじ
６  取付部
７  U字形バンド
８  フランジ
９  連結ねじ
１０  Ｕ字形クレビス
１１  溝
１２  連結ピン
１５  可動側ねじ
１６  操作部
１７  ねじ本体
１８  雌ねじ
２０  操作部材
２１  歯車
２２  係止爪
２３  ハンドル
２５  碍子連
２６  碍子
２７  連結金具
２８  連結金具
３０  第１アークホーン取付金具
３１  第２アークホーン取付金具
３２  第１アークホーン
３３  第２アークホーン
３４  第１クランプ
３５  第２クランプ
【図１】
2011171256.tif 000003
【図２】
2011171256.tif 000004
【図３】
2011171256.tif 000005
【図４】
2011171256.tif 000006